(57)【要約】【課題】撮像ユニットの受光面の清掃作業を効率良く行うことができるレンズ交換式の電子カメラを提供すること。【解決手段】レンズ交換式一眼レフ電子カメラ１は、ＣＣＤ４１を有する撮像ユニット４と、撮像ユニット４の受光面４５を照明するＬＥＤ７とを備えており、モード設定手段により、撮影可能な撮影モードと、受光面４５を清掃するためのクリーニングモードとを選択可能になっている。受光面４５上のゴミ等を除去する清掃作業を行う場合には、クリーニングモードを選択し、レリーズボタンを押す。これにより、メインミラー２２を撮影光路から退避させるとともに、シャッターユニット２１の先幕シャッターのみを走行させて全開状態とし、受光面４５を露出させ、さらに、ＬＥＤ７より投光して受光面４５を照明する。レリーズボタンが再度押されると、この受光面照明状態を解除する。【選択図】図２
2004032189.tif 000002
【特許請求の範囲】
【請求項１】
カメラボディと、該カメラボディに対し着脱自在な撮影レンズとを有するレンズ交換式の電子カメラであって、
撮像素子を有する撮像ユニットと、
前記撮像ユニットの受光面を照明する照明手段と、
撮影可能な撮影モードと、前記受光面を清掃するためのクリーニングモードとに設定可能なモード設定手段とを備え、
前記クリーニングモードに設定されているとき、前記照明手段より投光して前記受光面を照明する受光面照明状態にし得るよう構成されていることを特徴とする電子カメラ。
【請求項２】
前記照明手段は、前記撮像ユニットの撮像領域より外側に設置されており、前記照明手段から前記受光面への投光方向は、前記受光面に対し傾斜している請求項１に記載の電子カメラ。
【請求項３】
前記照明手段は、白色光を投光する請求項１または２に記載の電子カメラ。
【請求項４】
前記照明手段の光源は、発光ダイオードで構成されている請求項１ないし３のいずれかに記載の電子カメラ。
【請求項５】
前記クリーニングモードに設定されているとき、レリーズボタンが押されるのを待って前記受光面照明状態にする請求項１ないし４のいずれかに記載の電子カメラ。
【請求項６】
前記受光面照明状態においてレリーズボタンが押されたとき、前記受光面照明状態を解除する請求項１ないし５のいずれかに記載の電子カメラ。
【請求項７】
前記撮影レンズが前記カメラボディに装着されたのを検出するレンズ装着検出手段を有し、
前記クリーニングモードに設定されているときに前記撮影レンズが前記カメラボディに装着されたのを検出したら、前記クリーニングモードを解除する請求項１ないし６のいずれかに記載の電子カメラ。
【請求項８】
前記撮像ユニットは、その受光面が前記撮影レンズの光軸に対し垂直になるように設置されている請求項１ないし７のいずれかに記載の電子カメラ。
【請求項９】
前記撮影レンズからの光束を反射する第１の位置と、前記撮影レンズからの光束の光路から退避した第２の位置とに回動可能に設置されたミラーを有し、
前記受光面照明状態のとき、前記ミラーを前記第２の位置に退避させる請求項１ないし８のいずれかに記載の電子カメラ。
【請求項１０】
前記撮像ユニットの受光面側に設置されたメカニカルシャッターを有し、
前記受光面照明状態のとき、前記メカニカルシャッターを全開状態にする請求項１ないし９のいずれかに記載の電子カメラ。
【発明の詳細な説明】
【０００１】
【発明の属する技術分野】
本発明は、レンズ交換式の電子カメラに関する。
【０００２】
【従来の技術】
静止画像または動画像を電子的に保存する電子カメラ（デジタルカメラ）は、撮影レンズにより形成された被写体像を電気信号（画素信号）に変換する撮像ユニットを有している。撮像ユニットは、例えば、ＣＣＤ、赤外カットフィルタおよびローパスフィルタ等からなる。
【０００３】
レンズ交換式一眼レフ電子カメラのようなレンズ交換式の電子カメラでは、レンズ交換時にゴミ、ホコリ等（以下、総称して「ゴミ」と言う）がカメラボディ内部に侵入し、このゴミが撮像ユニットの表面（受光面）に付着することがある。撮像ユニットの受光面にゴミが付着した場合、ごく小さなゴミ（例えば１０〜２０μｍ程度）でも撮影画像に写ってしまい、画像不良を生じるので、例えばブロワ（送風器）などを用いて受光面を清掃し、付着したゴミを除去する必要がある。
【０００４】
しかしながら、通常、撮像ユニットは、カメラボディの奥まったところに設置されており、その受光面は、外部の光が届かずに、暗く見えにくくなっている。このため、撮像ユニットの受光面のどこにゴミが付着しているのかが発見しづらく、どの部分を清掃してよいか分かりづらかった。また、ゴミが除去できたかどうかも分かりづらかった。このようなことから、撮像ユニットの受光面の清掃作業を効率良く行うことができなかった。
【０００５】
【発明が解決しようとする課題】
本発明の目的は、撮像ユニットの受光面の清掃作業を効率良く行うことができるレンズ交換式の電子カメラを提供することにある。
【０００６】
【課題を解決するための手段】
このような目的は、下記（１）〜（１０）の本発明により達成される。
【０００７】
（１）　カメラボディと、該カメラボディに対し着脱自在な撮影レンズとを有するレンズ交換式の電子カメラであって、
撮像素子を有する撮像ユニットと、
前記撮像ユニットの受光面を照明する照明手段と、
撮影可能な撮影モードと、前記受光面を清掃するためのクリーニングモードとに設定可能なモード設定手段とを備え、
前記クリーニングモードに設定されているとき、前記照明手段より投光して前記受光面を照明する受光面照明状態にし得るよう構成されていることを特徴とする電子カメラ。
【０００８】
これにより、撮像ユニットの受光面の清掃作業時、受光面上のゴミが見易くなり、清掃作業を効率良く、かつ効果的に行うことができる。
【０００９】
（２）　前記照明手段は、前記撮像ユニットの撮像領域より外側に設置されており、前記照明手段から前記受光面への投光方向は、前記受光面に対し傾斜している上記（１）に記載の電子カメラ。
これにより、受光面上のゴミをより見易くすることができる。
【００１０】
（３）　前記照明手段は、白色光を投光する上記（１）または（２）に記載の電子カメラ。
これにより、受光面上のゴミをより見易くすることができる。
【００１１】
（４）　前記照明手段の光源は、発光ダイオードで構成されている上記（１）ないし（３）のいずれかに記載の電子カメラ。
これにより、受光面上のゴミをより見易くすることができる。
【００１２】
（５）　前記クリーニングモードに設定されているとき、レリーズボタンが押されるのを待って前記受光面照明状態にする上記（１）ないし（４）のいずれかに記載の電子カメラ。
【００１３】
これにより、誤操作をより確実に防止することができるとともに、レリーズボタンを押し続けることなく受光面照明状態を維持することができる。
【００１４】
（６）　前記受光面照明状態においてレリーズボタンが押されたとき、前記受光面照明状態を解除する上記（１）ないし（５）のいずれかに記載の電子カメラ。
【００１５】
これにより、誤操作をより確実に防止することができるとともに、簡単な操作で受光面照明状態を解除して元の状態に戻ることができる。
【００１６】
（７）　前記撮影レンズが前記カメラボディに装着されたのを検出するレンズ装着検出手段を有し、
前記クリーニングモードに設定されているときに前記撮影レンズが前記カメラボディに装着されたのを検出したら、前記クリーニングモードを解除する上記（１）ないし（６）のいずれかに記載の電子カメラ。
【００１７】
これにより、不用意にクリーニングモードが解除されることによる弊害をより確実に防止することができるとともに、清掃後に迅速に撮影動作に移ることができ使い勝手が向上する。
【００１８】
（８）　前記撮像ユニットは、その受光面が前記撮影レンズの光軸に対し垂直になるように設置されている上記（１）ないし（７）のいずれかに記載の電子カメラ。
これにより、電子カメラの光学系の構成を簡素化することができる。
【００１９】
（９）　前記撮影レンズからの光束を反射する第１の位置と、前記撮影レンズからの光束の光路から退避した第２の位置とに回動可能に設置されたミラーを有し、
前記受光面照明状態のとき、前記ミラーを前記第２の位置に退避させる上記（１）ないし（８）のいずれかに記載の電子カメラ。
【００２０】
これにより、撮影レンズからの光束を反射し得るミラーを有する場合であっても、撮像ユニットの受光面の清掃を容易かつ迅速に行うことができる。
【００２１】
（１０）　前記撮像ユニットの受光面側に設置されたメカニカルシャッターを有し、
前記受光面照明状態のとき、前記メカニカルシャッターを全開状態にする上記（１）ないし（９）のいずれかに記載の電子カメラ。
【００２２】
これにより、メカニカルシャッターを有する場合であっても、撮像ユニットの受光面の清掃を容易かつ迅速に行うことができる。
【００２３】
【発明の実施の形態】
以下、本発明の電子カメラを添付図面に示す好適な実施形態に基づいて詳細に説明する。
【００２４】
図１および図２は、それぞれ、本発明の電子カメラの実施形態における内部構成を示す断面側面図（撮影レンズは省略）、図３は、本発明の電子カメラの実施形態を示す正面図（撮影レンズは省略）、図４は、撮像ユニットを模式的に示す斜視図、図５は、本発明の電子カメラの実施形態における内部構成を示すブロック図である。
【００２５】
これらの図に示す電子カメラ１は、カメラボディ２と、このカメラボディ２に対し着脱自在な撮影レンズ３とで構成されるレンズ交換式一眼レフ電子カメラである。撮影レンズ３は、撮影レンズ系（図示せず）と、絞り（図示せず）と、レンズＣＰＵ３１と、フォーカシングレンズ３２と、ギアユニット３３とを有している（図５参照）。
【００２６】
図１に示すように、カメラボディ２は、主な光学構成として、ＣＣＤ（撮像素子）４１を有する撮像ユニット４と、撮像ユニット４の受光面４５側に設置されたシャッターユニット（メカニカルシャッター）２１と、メインミラー２２と、焦点板２６と、ペンタプリズム２７と、アイピースレンズ２８とをそれぞれ内蔵している。また、図１および図３に示すように、カメラボディ２の正面には、撮影レンズ３を着脱自在に取り付けるためのマウント部２４が設けられている。
【００２７】
また、カメラボディ２内には、図５に示すように、カメラボディ２および撮影レンズ３を統括的に制御するメインＣＰＵ（制御部）５０が設けられており、このメインＣＰＵ５０は、オートフォーカス（ＡＦ）制御、撮影制御、各種操作スイッチの操作に基づく各種動作制御等を行う。
【００２８】
メインＣＰＵ５０は、レンズマウント部に設けられた接点端子を介して撮影レンズ３内のレンズＣＰＵ３１と接続され、レンズ固有のデータや撮影レンズ３の状態あるいはカメラ側の状態等の各種情報通信を行うようになっている。これにより、メインＣＰＵ５０は、カメラボディ２に撮影レンズ３が装着されているか否かを検出することもできる。
【００２９】
また、メインＣＰＵ５０には、ＡＦセンサ５１、測光センサ５２、ＡＦモータ５３、ＤＳＰ（Ｄｉｇｉｔａｌ　Ｓｉｇｎａｌ　Ｐｒｏｃｅｓｓｏｒ）５４、測光スイッチ５５、レリーズスイッチ５６、モードスイッチ５７、モータドライバ６０、シャッタ駆動回路６１等がそれぞれ接続されている。
【００３０】
図１に示すように、撮像ユニット４は、長方形の浅い凹部を有するケーシング４２と、ケーシング４２の凹部内に設置された平板状のＣＣＤ４１と、ケーシング４２の凹部の開口を覆うように設置された赤外カットフィルター（赤外線吸収フィルター）４３と、赤外カットフィルター４３の前面側に設置されたローパスフィルター４４とで構成されており、ローパスフィルター４４の外表面が受光面４５になっている。
【００３１】
赤外カットフィルター４３は、撮影レンズ３からの被写体光の中から赤外波長成分を除去し、撮像ユニット４が人間の目に見えない赤外光を受光してしまうのを防止する。また、ローパスフィルター４４は、被写体光の空間周波数の中から、ＣＣＤ４１の画素間隔で決まる標本化空間周波数に近い空間周波数成分を低減させることにより、被写体の画像データに偽色（モアレ）が生じるのを防止する。
【００３２】
この撮像ユニット４は、その受光面４５がマウント部２４に装着された撮影レンズ３の光軸Ａｘに対し垂直になるように設置されている。そして、光軸Ａｘは、撮像ユニット４の撮像領域の中心に合致する。
【００３３】
シャッターユニット２１は、いわゆるフォーカルプレーンシャッタであり、撮像ユニット４の受光面４５に対面するように設置されている。シャッターユニット２１は、先幕および後幕を有し、露出時には、先幕と後幕との間に形成される任意の間隔を持つスリットを所定の速度で受光面４５の前を横切るように移動させることにより、撮影レンズ３からの光束を受光面４５に到達させる。このシャッターユニット２１は、シャッタ駆動回路６１により駆動される。また、シャッターユニット２１は、モータドライバ６０を介して駆動されるチャージモータ５９により、撮影に備えたチャージ状態とされる（図５参照）。
【００３４】
シャッターユニット２１と撮影レンズ３との間には、メインミラー２２が設けられている。メインミラー２２は、その上端部付近に設けられた回転軸２２１を中心として回動可能に設置されており、図１に示す第１の位置と、図２に示す第２の位置との間で回動する。メインミラー２２は、モータドライバ６０を介して駆動されるミラーモータ５８の駆動力により動作する。
【００３５】
図１に示す観察状態では、撮影レンズ３を透過してカメラボディ２内に入射した光束（被写体光）は、その大部分がメインミラー２２において反射し、焦点板２６に入射する。また、メインミラー２２の一部は、ハーフミラーとなっており、撮影レンズ３からの光束の一部は、メインミラー２２を透過し、メインミラー２２の背面側に設けられたサブミラー２５により下方に反射されてＡＦセンサ５１に入射する（図５参照）。
【００３６】
図２に示す状態では、メインミラー２２は、撮影レンズ３からの光束の光路から退避した状態になっており、撮影レンズ３からの光束は、メインミラー２２にて反射されることなく、撮像ユニット４に入射し得る。
【００３７】
図５に示すように、観察状態では、メインミラー２２からの反射光は、ＣＣＤ４１の受光面４１１と光学的に等価な位置にある焦点板２６上において一旦結像した後、ペンタプリズム２７に入射する。そして、ペンタプリズム２７で反射された光束は、アイピースレンズ２８を通って射出する。これにより、使用者は、アイピースを介して撮影レンズ３による焦点板２６上の結像状態を観察することができる。
【００３８】
また、ペンタプリズム２７からの反射光の一部は、測光センサ５２に入射する。測光センサ５２は、受光量に応じた測光信号をメインＣＰＵ５０へ出力する。メインＣＰＵ５０は、測光信号に基づいてＣＣＤ４１の電荷蓄積時間（露光時間）および撮影レンズ３側に設けられた絞り（図示せず）の開口量（絞り値）を演算および駆動制御する。
【００３９】
ＡＦセンサ５１は、いわゆる位相差方式の測距センサであり、ＣＣＤ４１の受光面４１１と光学的に等価な位置にＣＣＤセンサを有し、図示しない撮影画面内の所定の焦点検出エリアにおける焦点状態をＡＦビデオ信号としてメインＣＰＵ５０へ出力する。メインＣＰＵ５０は、ＡＦビデオ信号に基づいてデフォーカス量を演算し、そのデフォーカス量と撮影レンズ３の固有のレンズデータとに基づいて、フォーカシングレンズ３２に入射した光束が焦点板２６上に結像するフォーカシングレンズ３２の位置までのレンズ駆動方向および駆動量を演算し、ＡＦモータ５３を駆動制御する（ＡＦ駆動制御）。ＡＦモータ５３の駆動力は、カメラボディ２のマウント部２４に設けられたジョイントと、撮影レンズ３側のマウント部に設けられたジョイントを介してギアユニット３３に伝達され、フォーカシングレンズ３２が光軸方向に駆動される。
【００４０】
撮像ユニット４のＣＣＤ４１は、ＤＳＰ５４によって駆動制御される。ＤＳＰ５４は、ＣＣＤ４１の駆動制御およびＣＣＤ４１からの画素信号から画像データを生成したり、画像データの圧縮処理やＣＦメモリーカード（記録媒体）１００への画像データ記録処理など、画像処理および画像記録の処理動作を統括して制御するプロセッサであり、メインＣＰＵ５０と接続され相互に通信して制御の連携が可能な構成となっている。
【００４１】
カメラボディ２には、レリーズボタン（図示せず）が設けられており、測光スイッチ５５は、このレリーズボタンが半押しされるとオンし、レリーズスイッチ５６は、レリーズボタンが全押しされるとオンする。
【００４２】
また、カメラボディ２には、動作モード設定ボタン（図示せず）が設けられており、モードスイッチ５７は、この動作モード設定ボタンの押圧操作に応じてオンし、オンする度に、撮影可能な撮影モードと、撮像ユニット４の受光面４５を清掃するためのクリーニングモードとのいずれかに切り替わる。
【００４３】
さて、このような電子カメラ１では、撮像ユニット４の受光面４５上のゴミ、ホコリ、汚れ等（以下、総称して「ゴミ」と言う）を見易くするために、受光面４５を照明する照明手段として、照明光を発生するＬＥＤ（発光ダイオード）７が設置されている。本発明では、撮影レンズ３をカメラボディ２から取り外し、受光面４５を清掃する際に、このＬＥＤ７を点灯して受光面４５を照明することにより、受光面４５に付着したゴミ５００を見易くすることができる。これにより、ゴミ５００がごく小さい場合であっても、ゴミ５００の付着個所すなわち清掃すべき個所を発見し易く、また、ゴミ５００が除去できたかどうかも確認し易い。よって、受光面４５の清掃作業を効率良く迅速に、かつ、ゴミ５００を残存させることなく効果的に行うことができる。
【００４４】
なお、受光面４５の清掃作業の方法は、いかなる方法でも良く、例えば、ブロワ（送風器）を用いてゴミ５００を吹き飛ばしたり、吸引器を用いてゴミ５００を吸い取ったり、ワイパを用いてゴミ５００をふき取ったりすることにより行うことができる。
【００４５】
本発明では、受光面４５へ投光する照明光の色は、いかなる色であってもよいが、白色光であるのが好ましい。本実施形態では、ＬＥＤ７は、白色ＬＥＤであり、白色光を投光する。これにより、赤色光、青色光、緑色光等の場合よりもさらにゴミ５００を見易くすることができる。
【００４６】
また、本実施形態では、図２および図３に示すように、ＬＥＤ７は、シャッターユニット２１の前方付近であって、撮像ユニット４の下側に２個設置されている。ＬＥＤ７を撮像ユニット４の下側に設置する場合は、焦点板２６や、メインミラー２２への動力伝達機構などと干渉することがなく、容易に設置スペースを確保することができる。
【００４７】
また、本実施形態では、図２に示すように、ＬＥＤ７は、撮像ユニット４の撮像領域（撮像領域上の空間）より下側（外側）に位置しており、これにより、ＬＥＤ７から受光面４５への投光方向は、受光面４５に対し垂直ではなく、受光面４５の法線に対して４５度よりも大きく傾斜している（受光面４５側に倒されている）。これにより、ＬＥＤ７からの照明光がゴミ５００にキラキラと反射したり、ゴミ５００の影５０１が長く現れたりするので、ゴミ５００をさらに見易くすることができる（図４参照）。
【００４８】
なお、本発明では、受光面４５を照明する照明手段は、光源と、レンズ、ミラー、プリズムなどの光学素子とを有し、光源からの照明光をこれらの光学素子を介して受光面４５へ投光するようなものでもよい。また、光源としては、ＬＥＤに限らず、ハロゲンランプ等であってもよいが、大きさ、内蔵バッテリの消費電力等を考慮すると、ＬＥＤが望ましい。また、照明手段（光源）の個数は、１個でも３個以上でもよい。
【００４９】
次に、動作モード設定ボタンの操作により撮影モードが設定されている場合のメインＣＰＵ５０の制御動作について説明する。
【００５０】
メインＣＰＵ５０は、レリーズボタンが半押しされて測光スイッチ５５がオンすると、前述したような測光、露出演算、ＡＦ駆動を行う。さらに、レリーズボタンが全押しされてレリーズスイッチ５６がオンすると、モータドライバ６０を介してミラーモータ５８を駆動して、メインミラー２２およびサブミラー２５を撮影光路外の前記第２の位置へ退避させるとともに、演算した絞り値まで図示しない絞り駆動を制御して絞り込んだ後、シャッタ駆動回路６１を制御して、演算された露光時間、露光制御を行う。露光時間経過後、メインＣＰＵ５０は、シャッターユニット２１を遮蔽制御した後、チャージモータ５９を駆動してシャッターチャージを行う。
【００５１】
一方、ＤＳＰ５４は、シャッター駆動制御に連動してＣＣＤ４１の不要電荷掃き出し制御や電荷蓄積制御を行い、シャッターユニット２１が遮蔽状態になった後、ＣＣＤ４１の蓄積電荷の転送、および画像データ生成処理、ＪＰＥＧなどの公知の画像データ圧縮処理を行う。その後、ＤＳＰ５４は、得られた圧縮画像データをＣＦメモリーカード１００に記録する。
【００５２】
次に、動作モード設定ボタンの操作によりクリーニングモードが設定されている場合のメインＣＰＵ５０の制御動作について説明する。図６は、クリーニングモードでの制御動作を示すフローチャートである。以下、このフローチャートに基づいて説明する。
【００５３】
クリーニングモードにおいては、メインＣＰＵ５０は、ＬＥＤ７を点灯して撮像ユニット４の受光面４５を照明する受光面照明状態になっているか否かを示すフラグとして、フラグＦ＿ＬＥＤを用いて制御を行う。フラグＦ＿ＬＥＤ＝０の状態は、受光面照明状態でないことを示し、フラグＦ＿ＬＥＤ＝１の状態は、受光面照明状態にあることを示す。
【００５４】
撮影レンズ３がカメラボディ２から取り外され、クリーニングモードが選択されると、フラグＦ＿ＬＥＤ＝０とする（ステップＳ００１）。
【００５５】
レリーズボタンが押圧（全押し）されてレリーズスイッチ５６がオンすると（ステップＳ００２）、フラグＦ＿ＬＥＤ＝０であるか否かを判断する（ステップＳ００３）。
【００５６】
フラグＦ＿ＬＥＤ＝０である場合には、次に述べるような受光面照明状態とする。すなわち、モータドライバ６０を介してミラーモータ５８を駆動してメインミラー２２およびサブミラー２５を撮影光路外の前記第２の位置へ退避（ミラーアップ）させるとともに（ステップＳ００４）、シャッター駆動回路６１を制御してシャッターユニット２１の先幕シャッターのみを走行させてアパーチャーを全開状態とし（ステップＳ００５）、さらに、ＬＥＤ７を点灯させて、受光面４５を照明する（ステップＳ００６）。このようにして、受光面照明状態では、ミラーアップおよびシャッター全開により受光面４５が露出するとともに、受光面４５が照明されるので、受光面４５の清掃を効率良く効果的に行うことができる。
【００５７】
上述したように、本実施形態では、クリーニングモードが選択されている場合、レリーズボタンが押されるのを待って、受光面照明状態にする。これにより、誤操作のおそれが少なく、不本意に受光面照明状態にしてしまうのを防止することができる。
【００５８】
受光面照明状態になったら、レリーズボタンへの押圧が解除されたこと、すなわちレリーズスイッチ５６がオフしたことを検出した後（ステップＳ００７）、フラグＦ＿ＬＥＤ＝１として（ステップＳ００８）、ステップＳ００２に戻り、再びレリーズスイッチ５６の状態を監視する。
【００５９】
再度レリーズボタンが押されてレリーズスイッチ５６がオンすると（ステップＳ００２）、フラグＦ＿ＬＥＤ＝０であるか否かを判断し（ステップＳ００３）、フラグＦ＿ＬＥＤ＝０でなくフラグＦ＿ＬＥＤ＝１であった場合、つまり受光面照明状態であった場合には、受光面照明状態を解除する。すなわち、モータドライバ６０を介してミラーモータ５８を駆動してメインミラー２２およびサブミラー２５を観察状態の位置（前記第１の位置）へ移動（ミラーダウン）させるとともに（ステップＳ００９）、シャッター駆動回路６１を制御してシャッターユニット２１の後幕シャッターを走行させてアパーチャーを全閉状態（遮蔽状態）とし（ステップＳ０１０）、さらに、モータドライバ６０を介してチャージモータ５９を駆動してシャッターチャージを行うとともに（ステップＳ０１１）、ＬＥＤ７を消灯する（ステップＳ０１２）。
【００６０】
このように、本実施形態では、受光面照明状態になった後、レリーズボタンが再度押圧されるのを検出して、受光面照明状態を解除する。これにより、レリーズボタンを押し続けることなく受光面照明状態を維持して受光面４５の観察、清掃を行うことができるとともに、簡単な操作で受光面照明状態を解除して元の状態に戻ることができる。
【００６１】
受光面照明状態を解除したら、フラグＦ＿ＬＥＤ＝０として（ステップＳ０１３）、ステップＳ００２に戻り、またレリーズスイッチ５６の状態を監視する。
【００６２】
レリーズスイッチ５６がオンしない場合には、モードスイッチ５７の状態を監視して、クリーニングモードが選択されているかどうかを判断する（ステップＳ０１３）。そして、依然としてクリーニングモードが選択されている場合には、ステップＳ００２に戻り、クリーニングモードが選択されていない場合（撮影モードが選択された場合）には、クリーニングモードを解除して撮影モードに復帰する。
【００６３】
図７は、本発明の他の実施形態におけるクリーニングモードでの制御動作を示すフローチャートである。以下、このフローチャートに基づいて、本発明の他の実施形態におけるクリーニングモードでの制御動作について説明するが、前述した実施形態との相違点を中心に説明し、同様の事項はその説明を省略する。
【００６４】
前述した実施形態においては、２回目のレリーズスイッチ５６のオンにより受光面照明状態を解除して元の状態に復帰させていたが、本実施形態では、撮影レンズ３がカメラボディ２に装着されたのを検出した場合、受光面照明状態を解除するとともに、クリーニングモードをも解除する。以下、より詳しく説明する。
【００６５】
撮影レンズ３がカメラボディ２から取り外され、クリーニングモードが選択されると、フラグＦ＿ＬＥＤ＝０とする（ステップＳ１０１）。
【００６６】
前述した実施形態と同様に、レリーズスイッチ５６のオンを待って（ステップＳ１０２）、ミラーアップ（ステップＳ１０３）、先幕シャッター走行（ステップＳ１０４）、およびＬＥＤ７の点灯（ステップＳ１０５）を行って受光面照明状態とする。受光面照明状態としたら、フラグＦ＿ＬＥＤ＝１として（ステップＳ１０６）、ステップＳ１０２に戻る。
【００６７】
そして、レンズ通信を行い（ステップＳ１０７）、撮影レンズ３の装着を検出したか否かを判断する（ステップＳ１０８）。撮影レンズ３の装着が検出された場合には、フラグＦ＿ＬＥＤ＝１であるか否か、すなわち、受光面照明状態であるか否かを判断し（ステップＳ１０９）、フラグＦ＿ＬＥＤ＝１（受光面照明状態）である場合には、ミラーダウン（ステップＳ１１０）、後幕シャッター走行（ステップＳ１１１）、シャッターチャージ（ステップＳ１１２）、およびＬＥＤ７の消灯（ステップＳ１０９）を行って受光面照明状態を解除する。受光面照明状態を解除したら、フラグＦ＿ＬＥＤ＝０とした後（ステップＳ１１４）、クリーニングモードを解除して撮影モードに復帰する。なお、ステップＳ１０９でフラグＦ＿ＬＥＤ＝０であった場合、すなわち、受光面照明状態でない場合には、そのままクリーニングモードを解除して撮影モードに復帰する。
【００６８】
また、ステップＳ１０８で撮影レンズ３の装着が検出されない場合には、クリーニングモードが選択されているかどうかを判断し（ステップＳ１０２）、依然としてクリーニングモードが選択されている場合には、ステップＳ１０２に戻り、クリーニングモードが選択されていない場合（撮影モードが選択された場合）には、クリーニングモードを解除して撮影モードに復帰する。
【００６９】
このように、本実施形態では、撮影レンズ３の装着を検出して受光面照明状態およびクリーニングモードを解除し、撮影モードへの復帰動作を行うので、受光面４５の清掃中に不用意にミラーダウンや後幕シャッター走行して、メインミラー２２やシャッターユニット２１を破損するようなことをより確実に防止することができる。さらには、撮影レンズ３を装着すると自動的に撮影モードに切り替わるので、清掃後に迅速に撮影動作に移ることができ使い勝手が良いとともに、クリーニングモードのまま撮影しようとするような誤操作をより確実に防止することもできる。
【００７０】
以上、本発明の電子カメラを図示の実施形態について説明したが、本発明は、これに限定されるものではなく、電子カメラを構成する各部は、同様の機能を発揮し得る任意の構成のものと置換することができる。また、任意の構成物が付加されていてもよい。
【００７１】
例えば、撮像ユニットの設置個所は、その受光面が撮影レンズの光軸に対し垂直になるような個所に限らず、例えば、カメラボディ内の上方、下方または側方であってもよい。また、その場合、撮影レンズからの光束を撮像ユニットへ向けて反射するミラーを設け、受光面照明状態のときにそのミラーを撮影レンズからの光束の光路から退避させるようにしてもよい。
【００７２】
また、本発明は、レンズ交換式一眼レフ電子カメラに限らず、例えば、撮影レンズからの光束を反射し得るミラーを有さずに、撮影光学系とは独立したファインダ光学系を有するレンジファインダ式のレンズ交換式電子カメラのようなものにも適用することができる。また、本発明の電子カメラは、撮像ユニットの受光面側に設置されたメカニカルシャッターを有さないようなものであってもよい。
【００７３】
また、本発明の電子カメラでは、クリーニングモードでの制御動作は、前記の２つの実施形態を組み合わせたようなものであってもよい。また、クリーニングモードにすると直ちに受光面照明状態になるよう制御するものであってもよい。
【００７４】
【発明の効果】
以上述べたように、本発明によれば、撮像ユニットの受光面の清掃時、受光面を照明手段によって照明することにより、受光面に付着したゴミを見易くすることができる。よって、清掃すべきゴミの付着個所を発見し易く、また、ゴミが除去できたかどうかも確認し易い。このようなことから、受光面の清掃作業を効率良く迅速に、かつ、ゴミを残存させることなく効果的に行うことができる。
【００７５】
また、クリーニングモードに設定されているときにレリーズボタンが押されるのを待って受光面照明状態にすることとした場合や、受光面照明状態をレリーズボタンが押されるのを待って解除することとした場合や、クリーニングモードに設定されているときに撮影レンズが装着されたのを検出したらクリーニングモードを解除することとした場合には、使い勝手を向上することができ、誤操作の防止も図れる。
【図面の簡単な説明】
【図１】本発明の電子カメラの実施形態における内部構成を示す断面側面図（観察状態）である。
【図２】本発明の電子カメラの実施形態における内部構成を示す断面側面図（受光面照明状態）である。
【図３】本発明の電子カメラの実施形態を示す正面図（受光面照明状態）である。
【図４】撮像ユニットを模式的に示す斜視図である。
【図５】本発明の電子カメラの実施形態における内部構成を示すブロック図である。
【図６】本発明の電子カメラの実施形態におけるクリーニングモードでの制御動作を示すフローチャートである。
【図７】本発明の電子カメラの他の実施形態におけるクリーニングモードでの制御動作を示すフローチャートである。
【符号の説明】
１　　　　　　電子カメラ
２　　　　　　カメラボディ
２１　　　　　シャッターユニット
２２　　　　　メインミラー
２２１　　　　回転軸
２４　　　　　マウント部
２５　　　　　サブミラー
２６　　　　　焦点板
２７　　　　　ペンタプリズム
２８　　　　　アイピースレンズ
３　　　　　　撮影レンズ
３１　　　　　レンズＣＰＵ
３２　　　　　フォーカシングレンズ
３３　　　　　ギアユニット
４　　　　　　撮像ユニット
４１　　　　　ＣＣＤ
４１１　　　　受光面
４２　　　　　ケーシング
４３　　　　　赤外カットフィルター
４４　　　　　ローパスフィルター
４５　　　　　受光面
５０　　　　　メインＣＰＵ
５１　　　　　ＡＦセンサ
５２　　　　　測光センサ
５３　　　　　ＡＦモータ
５４　　　　　ＤＳＰ
５５　　　　　測光スイッチ
５６　　　　　レリーズスイッチ
５７　　　　　モードスイッチ
５８　　　　　ミラーモータ
５９　　　　　チャージモータ
６０　　　　　モータドライバ
６１　　　　　シャッタ駆動回路
７　　　　　　ＬＥＤ
１００　　　　ＣＦメモリーカード
５００　　　　ゴミ
５０１　　　　影
Ｓ００１〜Ｓ０１４、Ｓ１０１〜Ｓ１１５　ステップ
Ａｘ　　　　　光軸
【図１】
2004032189.tif 000003
【図２】
2004032189.tif 000004
【図３】
2004032189.tif 000005
【図４】
2004032189.tif 000006
【図５】
2004032189.tif 000007
【図６】
2004032189.tif 000008
【図７】
2004032189.tif 000009